(57)【要約】      （修正有）【課題】用紙の印字面が一方向になるように揃え、かつインクの擦れなどが生じないように重ねることが可能である。【解決手段】画像が形成された用紙を搬送する搬送部２０と、搬送されてくる用紙を綴じる処理部３０と、処理部３０の後段に昇降可能な積載トレイ４０を備える用紙後処理装置１０であり、搬送部２０に用紙を反転させる用紙反転部５０を備え、用紙反転部５０の下方位置に処理部３０を配置した。【選択図】図１
2019094188.tif 000002
【特許請求の範囲】
【請求項１】
画像が形成された用紙を搬送する搬送部と、
搬送されてくる用紙を綴じる処理部と、
前記処理部の後段に昇降可能な積載トレイを備える用紙後処理装置であり、
前記搬送部に用紙を反転させる用紙反転部を備え、
前記用紙反転部の下方位置に前記処理部を配置したことを特徴とする用紙後処理装置。
【請求項２】
前記処理部と前記積載トレイの間にコンパイルトレイを配置し、
前記コンパイルトレイに、
前記用紙反転部で反転させた用紙を重ね合わせて前記積載トレイへ排出する構成であることを特徴と請求項１に記載の用紙後処理装置。
【請求項３】
前記用紙反転部は、
用紙を反転させる回転ドラムと、
前記回転ドラムの外周に用紙を保持可能にする用紙押さえと、
前記回転ドラムの外周から内側にオーバーラップしたエンドフェンスを有し、
前記回転ドラムの回転により保持された用紙が、前記エンドフェンスに突き当たって前記回転ドラムから剥離されることを特徴と請求項１または請求項２に記載の用紙後処理装置。
【請求項４】
前記エンドフェンスは、
用紙を綴じる位置と用紙を綴じない位置とに移動可能であり、
前記用紙を綴じる位置において用紙を綴じ可能に重ね合わせ、
前記用紙を綴じない位置において用紙を前記積載トレイに重ね合わせることを特徴とする請求項３に記載の用紙後処理装置。
【発明の詳細な説明】
【技術分野】
【０００１】
この発明は、デジタル出力装置（例えば複写機、プリンター）に繋がり用紙をまとめて積載する用紙後処理装置に関するものである。
【背景技術】
【０００２】
コピー機、プリンター、複合機などの画像形成装置には、装着脱装可能になるように用紙後処理装置が設置されている。例えば、オンライン化が進んできており、パーソナルコンピュータ等のホストコンピュータからＬＡＮ等の通信回線を介して送られてきた画像データに基づいて用紙上に画像を形成し、この画像が形成された用紙に対して、ホチキス綴じ、パンチ、紙折り等で綴じる複写機やプリンターが、多く用いられるようになってきている（特許文献１）。
【先行技術文献】
【特許文献】
【０００３】
【特許文献１】特開平１０−１２０２８４号公報
【発明の概要】
【発明が解決しようとする課題】
【０００４】
このような用紙後処理装置において、画像が形成された用紙を束ねて綴じているが、例えばインクジェットで印字した用紙では、印字面が一方向になるように揃え、かつインクの擦れなどが生じないように重ねることが好ましい。
【０００５】
この発明は、かかる点に鑑みてなされたもので、用紙の印字面が一方向になるように揃え、かつインクの擦れなどが生じないように重ねることが可能な用紙後処理装置を提供することを目的とする。
【課題を解決するための手段】
【０００６】
かかる課題を解決するために、この発明は、以下のように構成した。
【０００７】
請求項１に記載の発明は、画像が形成された用紙を搬送する搬送部と、
搬送されてくる用紙を綴じる処理部と、
前記処理部の後段に昇降可能な積載トレイを備える用紙後処理装置であり、
前記搬送部に用紙を反転させる用紙反転部を備え、
前記用紙反転部の下方位置に前記処理部を配置したことを特徴とする用紙後処理装置である。
【０００８】
請求項２に記載の発明は、前記処理部と前記積載トレイの間にコンパイルトレイを配置し、
前記コンパイルトレイに、
前記用紙反転部で反転させた用紙を重ね合わせて前記積載トレイへ排出する構成であることを特徴と請求項１に記載の用紙後処理装置である。
【０００９】
請求項３に記載の発明は、前記用紙反転部は、
用紙を反転させる回転ドラムと、
前記回転ドラムの外周に用紙を保持可能にする用紙押さえと、
前記回転ドラムの外周から内側にオーバーラップしたエンドフェンスを有し、
前記回転ドラムの回転により保持された用紙が、前記エンドフェンスに突き当たって前記回転ドラムから剥離されることを特徴と請求項１または請求項２に記載の用紙後処理装置である。
【００１０】
請求項４に記載の発明は、前記エンドフェンスは、
用紙を綴じる位置と用紙を綴じない位置とに移動可能であり、
前記用紙を綴じる位置において用紙を綴じ可能に重ね合わせ、
前記用紙を綴じない位置において用紙を前記積載トレイに重ね合わせることを特徴とする請求項３に記載の用紙後処理装置である。
【発明の効果】
【００１１】
前記構成により、この発明は、以下のような効果を有する。
【００１２】
請求項１乃至請求項４に記載の発明では、搬送部に用紙を反転させる用紙反転部を備え、用紙反転部の下方位置に処理部を配置したことで、用紙の印字面が一方向になるように揃え、かつインクの擦れなどが生じないように重ねることが可能である。
【図面の簡単な説明】
【００１３】
【図１】用紙後処理装置の側面図である。
【図２】用紙後処理装置の平面図である。
【図３】処理部の移動部を示す平面図である。
【図４】要部の側面図である。
【図５】用紙反転部の側面図である。
【図６】用紙反転部とコンパイルトレイとの対向部の断面図である。
【図７】用紙反転部を説明する図である。
【図８】用紙の反転を示す図である。
【発明を実施するための形態】
【００１４】
以下、この発明の用紙後処理装置の実施の形態について説明する。この発明の実施の形態は、発明の最も好ましい形態を示すものであり、この発明はこれに限定されない。
【００１５】
この実施の形態の用紙後処理装置を、図１乃至図６に基づいて説明する。図１は用紙後処理装置の側面図、図２は用紙後処理装置の平面図、図３は処理部の移動部を示す平面図、図４は要部の側面図、図５は用紙反転部の側面図、図６は用紙反転部とコンパイルトレイとの対向部の断面図である。
【００１６】
この実施の形態の用紙後処理装置１０は、コピー機、プリンター、複合機などの画像形成装置に備えられる。用紙後処理装置１０は、画像が形成された用紙を搬送する搬送部２０と、搬送されてくる用紙を綴じる処理部３０と、処理部３０の後段に昇降可能な積載トレイ４０を備え、搬送部３０の後端部に用紙を反転させる用紙反転部５０を備え、用紙反転部５０の下方位置に処理部３０を配置した構成である。
【００１７】
搬送部２０は、搬送路２１と、搬送ローラ２２を有し、画像形成装置において画像が形成された用紙を搬送する構成であり、搬送路２１に用紙をスイッチバックする切替ゲート２３，２４を備える。例えば、インクジェットで印字して上側に画像が形成された用紙Ｐ１を後処理する場合には、切替ゲート２３をスイッチバックしないように操作し、用紙Ｐ１を用紙反転部５０へ送り、用紙Ｐ１を反転させて画像が下側になるようにして用紙Ｐ１を後処理する。一方、下側に画像が形成された用紙Ｐ２を後処理する場合には、切替ゲート２３と切替ゲート２４をスイッチバックするように操作し、用紙Ｐ２が通過後に切替ゲート２４を切り替えてスイッチバックする用紙Ｐ２を用紙反転部５０へ送り、用紙Ｐ２を反転させて画像が下側になるようにして用紙Ｐ１を後処理する。画像形成装置から排出される用紙の印字側によって、用紙がスイッチバック搬送路を経由したりしなかったりして印字向きを修正し、用紙反転部５０で反転させてもページ狂いが起きないようにしている。  
【００１８】
処理部３０は、用紙を反転させて画像が下側になるようにして用紙を重ね合せて揃え、例えば、ホチキス綴じ、パンチ、紙折り等で綴じて用紙束とする構成である。この実施の形態の処理部３０は、図３に示すように、ガイド溝３１によって、用紙搬送方向に対して直交方向に移動可能であり、綴じ位置を変化することができるようになっている。
【００１９】
積載トレイ４０は、処理部３０とコンパイルトレイ６０の後段に昇降可能に配置され、処理部３０により綴じた用紙束、あるいは処理部３０により綴じないで重ね合せた用紙束、あるいは用紙反転部５０から搬送される用紙が積載される。
【００２０】
処理部３０と積載トレイ４０の間には、コンパイルトレイ６０が配置されており、用紙反転部５０により反転された用紙を重ね合わせて積載トレイ４０に排出し、積載する構造である。コンパイルトレイ６０は、用紙反転部５０の下方位置であり、用紙反転部５０により反転された用紙を、コンパイルトレイ６０に飛ばさず置くことで半渇きのインクジェットの印字の用紙にも紙揃えが可能である。
【００２１】
用紙反転部５０は、用紙Ｐを反転させる回転ドラム５１と、回転ドラム５１の外周に用紙Ｐを保持可能にする用紙押さえ５２と、回転ドラム５１の外周から内側にオーバーラップしたエンドフェンス５７を有する。回転ドラム５１は、手前側と奥側にそれぞれ配置され、用紙Ｐの搬送方向に平行な構成であり、それぞれの回転ドラム５１に対応して用紙押さえ５２が設けられている。
【００２２】
用紙押さえ５２は、回転ドラム５１に設けた支持部５２ａと、支持部５２ａに設けた回転軸５２ｂと、回転軸５２ｂに支持される用紙押さえバー５２ｃを有する。用紙押さえバー５２ｃの一端部には、押さえコロ５２ｄが設けられ、他端部には、カムコロ５２ｅが設けられ、図示しないバネによって押さえコロ５２ｄ常に回転ドラム５１の外面に接するように付勢されている。回転ドラム５１の外周には、案内ブロック５３が配置され、この案内ブロック５３は、装置本体に固定されている。
【００２３】
回転ドラム５１の回転によりカムコロ５２ｅが、案内ブロック５３の先端カム面５３ａにより内方に押されて用紙押さえバー５２ｃが回転し、押さえコロ５２ｄが回転ドラム５１の表面から浮き上がる。このタイミングで用紙Ｐの先端が、回転ドラム５１の外周に送り込まれる。さらに、回転ドラム５１の回転によりカムコロ５２ｅが、案内ブロック５３の後端カム面５３ｂにより外方に押されて用紙押さえバー５２ｃが反対方向に回転し、押さえコロ５２ｄが用紙Ｐの先端を押さえて回転ドラム５１の外周に保持し、回転ドラム５１の右方向の回転により用紙Ｐが搬送される。用紙押さえ５２は、用紙Ｐをつかんだり離したりするグリッパ構造であり、回転ドラム５１の回転時の遠心力から用紙抜けを防止している。
【００２４】
エンドフェンス５７は、それぞれの回転ドラム５１の間に対応して配置され、エンドフェンス５７の先端部５７ａは、回転ドラム５１の外周から内側にオーバーラップした構成である。回転ドラム５１の回転により保持された用紙Ｐの先端が、エンドフェンス５７の先端部５７ａに突き当たって回転ドラム５１から剥離される。この反転した用紙Ｐは、コンパイルトレイ６０の上に落下し飛ばさずにコンパイルトレイ６０に置くことができ、例えば半渇きのインクジェットの印字の用紙Ｐにも紙揃えが可能である。
【００２５】
エンドフェンス５７は、図５に示すように、用紙Ｐを綴じる位置Ｔ１と用紙Ｐを綴じない位置Ｔ２とに移動可能であり、用紙Ｐを綴じる位置Ｔ１において用紙Ｐを綴じ可能に重ね合わせ、用紙Ｐを綴じない位置Ｔ２において用紙Ｐを排出可能に重ね合わせる。
【００２６】
それぞれのエンドフェンス５７を駆動する駆動手段７０は、駆動プーリ７１と、タイミングベルト７２と、スライダー７３とを有し、スライダー７３は、エンドフェンス５７に係合している。駆動プーリ７１の回転によりスライダー７３が移動することでエンドフェンス５７が用紙を綴じる位置Ｔ１と用紙を綴じない位置Ｔ２とに移動する。
【００２７】
回転ドラム５１には、外周に軟材５５を備え、回転しながら軟材５５がコンパイルトレイ６０上の用紙に接触してエンドフェンス５７の方向へ引き戻すようにしている。また、コンパイルトレイ６０の中央部６０ａを凸にした山型形状にして用紙をエンドフェンス５７まで引き戻す際の摩擦を軽減している。
【００２８】
コンパイルトレイ６０には、イジェクタ８０が備えられ、エンドフェンス５７とイジェクタ８０の駆動によりコンパイルトレイ６０上に重ね合わせた用紙を搬送し、積載トレイ４０に排出する。
【００２９】
（用紙反転部の他の実施の形態）
この実施の形態の用紙反転部を、図７及び図８に示す。図７は用紙反転部を説明する図、図８は用紙の反転を示す図である。
【００３０】
この実施の形態の用紙反転部５０は、用紙を反転させる回転ドラム５１０を有し、回転ドラム５１０の内部には、一対のブロアー５２０が配置される。ブロアー５２０は、吸気口５２１と排気口５２２を有し、吸気口５２１は、回転ドラム５１０に形成した吸引開口５１１に連通し、排気口５２２は、回転ドラム５１０に形成した内部排気ダクト５１２に連通する。
【００３１】
内部排気ダクト５１２には、スリップリング５１３を介して内部排気ダクト５１２が接続され、回転ドラム５１０が回転可能に構成されている。内部排気ダクト５１２は、コンパイルトレイ６０の上方に開口しており、排気によってコンパイルトレイ６０上の用紙を整列可能にしている。
【００３２】
用紙が用紙反転部５０に送り込まれると、ブロアー５２０の吸気によって用紙Ｐの先端部が回転ドラム５１０の吸引開口５１１に吸引される（図８（ａ））。回転ドラム５１０の右方向の回転により用紙Ｐの先端部が保持されて搬送され（図８（ｂ））、用紙Ｐが回転ドラム５１０に巻き付くことで用紙のカールが修正される（図８（ｃ））。さらに、回転ドラム５１０の右方向の回転により用紙Ｐの先端部が下方に位置すると、ブロアー５２０の吸気を停止し、反転した用紙をコンパイルトレイ６０上へ落下させる（図８（ｄ））。
【００３３】
反転した用紙Ｐをコンパイルトレイ６０上へ落下すると、ブロアー５２０を駆動する。次に送り込まれる用紙Ｐの先端部が回転ドラム５１０の吸引開口５１１に吸引され、再度図８（ａ）から図８（ｄ）に示すようにして反転した用紙Ｐをコンパイルトレイ６０上へ落下させて重ね合せる。この動作によって、内部排気ダクト５１２の排気によってコンパイルトレイ６０上の用紙を整列する。
【産業上の利用可能性】
【００３４】
この発明は、デジタル出力装置（例えば複写機、プリンター）に繋がり用紙をまとめて積載する用紙後処理装置に適用可能であり、用紙の印字面が一方向になるように揃え、かつインクの擦れなどが生じないように重ねることが可能である。
【符号の説明】
【００３５】
１０  用紙後処理装置
２０  搬送部
２１  搬送路  
２２  搬送ローラ
２３，２４  切替ゲート
３０  処理部
４０  積載トレイ
５０  用紙反転部
５１  回転ドラム
５２  用紙押さえ
５７  エンドフェンス
６０  コンパイルトレイ
７０  駆動手段
７１  駆動プ−リ
７２  タイミングベルト
７３  スライダー
８０  イジェクタ
５１０  回転ドラム
５１１  吸引開口
５１２  内部排気ダクト
５１３  スリップリング
５２０  ブロアー
５２１  吸気口
５２２  排気口
【図１】
2019094188.tif 000003
【図２】
2019094188.tif 000004
【図３】
2019094188.tif 000005
【図４】
2019094188.tif 000006
【図５】
2019094188.tif 000007
【図６】
2019094188.tif 000008
【図７】
2019094188.tif 000009
【図８】
2019094188.tif 000010